(57)【要約】【課題】有機発光ダイオードを駆動する駆動トランジスタの特性変化を感知する機能が備えられたピクセル駆動回路を用いて、パネルが曲げられたか否かを把握する、フレキシブル有機発光表示装置を提供する。【解決手段】本発明に係るフレキシブル有機発光表示装置は、パネル、前記パネルに備えられたデータラインを駆動するデータドライバ、前記パネルに備えられたゲートラインを駆動するゲートドライバ、センシング部、及び制御部を含む。前記センシング部は、前記パネルの各ピクセルに備えられた有機発光ダイオードを駆動する駆動トランジスタの特性変化を感知するために、前記ピクセルに備えられたピクセル駆動回路を用いて、１フレーム期間を構成するディスプレイ期間及びブランク期間のうち前記ブランク期間に、前記パネルの曲げの有無をセンシングする。【選択図】図２
2019045879.tif 000002
【特許請求の範囲】
【請求項１】
パネルと、
前記パネルに備えられたデータラインを駆動するデータドライバと、
前記パネルに備えられたゲートラインを駆動するゲートドライバと、
前記ピクセルに備えられたピクセル駆動回路を用いて、１フレーム期間を構成するディスプレイ期間及びブランク期間のうちの前記ブランク期間に、前記パネルの各ピクセルに備えられた有機発光ダイオードを駆動する駆動トランジスタの特性変化を感知し、且つ前記パネルの曲げの有無をセンシングするセンシング部と、
前記センシング部から伝送されたセンシングデータを用いて前記駆動トランジスタの特性変化を判断し、且つ前記センシングデータを用いて前記パネルの曲げの有無を分析する制御部と、
を含み、
前記制御部は、前記ブランク期間を時分割して、第１イネーブル信号及び第２イネーブル信号を生成し、
前記センシング部は、
前記ブランク期間におけるメインセンシング期間に、前記第１イネーブル信号に従って、第１ゲートラインに接続されたピクセルに備えられた第１ピクセル駆動回路を駆動して、前記第１ピクセル駆動回路に備えられた駆動トランジスタの特性変化の感知のためのセンシングを行い、
前記ブランク期間における補助センシング期間に、前記第２イネーブル信号に従って、ベンディング領域に備えられた第２ゲートラインに接続されたピクセルに備えられた少なくとも１つの第２ピクセル駆動回路を駆動して、該少なくとも１つの第２ピクセル駆動回路に備えられた駆動トランジスタに対する引張又は収縮によって前記センシング部に印加される電圧または電流の変化をセンシングする、
フレキシブル有機発光表示装置。
【請求項２】
前記曲げの有無の分析に用いられる前記センシングデータは、前記ピクセル駆動回路に備えられた駆動トランジスタの引張又は収縮の程度に応じて変更される
請求項１に記載のフレキシブル有機発光表示装置。
【請求項３】
前記ゲートドライバは、前記補助センシング期間に、前記ベンディング領域に備えられた２つ以上の前記第２ゲートラインを順次駆動し、
前記センシング部は、順次駆動される２つ以上の前記第２ゲートラインに接続された前記第２ピクセル駆動回路を順次駆動して、前記ベンディング領域の曲げの有無をセンシングする
請求項１に記載のフレキシブル有機発光表示装置。
【請求項４】
前記制御部は、前記ディスプレイ期間には、一般のゲート制御信号を生成して前記ゲートドライバに伝送し、前記補助センシング期間には、センシング用ゲート制御信号を生成して前記ゲートドライバに伝送し、
前記ゲートドライバは、前記センシング用ゲート制御信号を用いて、前記ディスプレイ期間に前記第２ゲートラインに出力されるゲートパルスの周波数よりも速い周波数を有するゲートパルスを前記第２ゲートラインに出力する
請求項３に記載のフレキシブル有機発光表示装置。
【請求項５】
前記センシング部は、前記補助センシング期間に、第２スイッチング信号に応じて前記第２ピクセル駆動回路に基準電圧を供給し、第１スイッチング信号に応じて、前記第２ピクセル駆動回路から伝送されたアナログ信号をデジタル信号である前記センシングデータに変更して前記制御部に伝送する
請求項３に記載のフレキシブル有機発光表示装置。
【請求項６】
前記駆動トランジスタが引張又は収縮する程度は、前記駆動トランジスタの前記特性変化によって示される
請求項２に記載のフレキシブル有機発光表示装置。
【請求項７】
複数のデータライン、複数のゲートライン、ピクセル駆動回路とセンシングパルスラインとセンシングラインを含む複数のピクセル、及びベンディング領域を含むパネルと、
前記ベンディング領域にそれぞれ備えられた前記複数のゲートライン及び前記センシングパルスラインに、ゲートパルス及びセンシングパルスを供給するゲートドライバと、
前記ベンディング領域に備えられた複数のデータラインに、センシングデータ電圧を供給するデータドライバと、
前記複数のゲートラインのいずれか１つのゲートラインに接続されたピクセル駆動回路に備えられる駆動トランジスタと、
センシング部によって駆動され、前記ベンディング領域と関連するセンシングラインにある感知信号を獲得する前記ピクセル駆動回路から受信された前記感知信号を分析して、前記駆動トランジスタの幅又は長さの変化率を判断し、前記変化率に基づいて、前記ベンディング領域の曲げの有無又は前記ベンディング領域の曲げの程度を判断する制御部と、
を含み、
前記ベンディング領域に備えられる全てのデータライン及びセンシングラインよりも少ない個数のデータライン及びセンシングラインが、１フレーム期間を構成するディスプレイ期間及びブランク期間のうち該ブランク期間の一部である補助センシング期間の間に駆動され、
前記制御部は、前記ブランク期間を時分割して、第１イネーブル信号及び第２イネーブル信号を生成し、
前記センシング部は、
前記ブランク期間におけるメインセンシング期間に、前記第１イネーブル信号に従って、第１ゲートラインに接続されたピクセルに備えられた第１ピクセル駆動回路を駆動して、前記第１ピクセル駆動回路に備えられた駆動トランジスタの特性変化の感知のためのセンシングを行い、
前記ブランク期間における補助センシング期間に、前記第２イネーブル信号に従って、ベンディング領域に備えられた第２ゲートラインに接続されたピクセルに備えられた少なくとも１つの第２ピクセル駆動回路を駆動して、該少なくとも１つの第２ピクセル駆動回路に備えられた駆動トランジスタに対する引張又は収縮によって前記センシング部に印加される電圧または電流の変化をセンシングする、
フレキシブル有機発光表示装置。
【請求項８】
前記センシング部は、センシング信号をセンシングデータに変換し、前記センシングデータを前記制御部に伝送する
請求項７に記載のフレキシブル有機発光表示装置。
【発明の詳細な説明】
【技術分野】
【０００１】
本発明は、有機発光表示装置に関し、特に、フレキシブル有機発光表示装置に関する。
【背景技術】
【０００２】
表示装置の種類には、液晶表示装置（ＬＣＤ：Ｌｉｑｕｉｄ  Ｃｒｙｓｔａｌ  Ｄｉｓｐｌａｙ  Ａｐｐａｒａｔｕｓ）、有機発光表示装置（ＯＬＥＤ：Ｏｒｇａｎｉｃ  Ｌｉｇｈｔ  Ｅｍｉｔｔｉｎｇ  Ｄｉｓｐｌａｙ  Ａｐｐａｒａｔｕｓ）、及び電気泳動表示装置（ＥＰＤ：Ｅｌｅｃｔｒｏｐｈｏｒｅｔｉｃ  Ｄｉｓｐｌａｙ  Ａｐｐａｒａｔｕｓ）などがある。
【０００３】
従来の有機発光表示装置では、有機発光表示装置の製造工程中に発生する高い熱に耐えられるように、ガラス基板が用いられている。したがって、従来の有機発光表示装置を軽くしたり、薄くしたり、または柔軟性を有するようにするのに限界がある。
【０００４】
最近は、柔軟性のないガラス基板の代わりに、プラスチックフィルムなどのように折り畳んだり広げたりすることができる柔軟性のある材料を使用して、紙のように曲げられても表示性能をそのまま維持できるフレキシブル（ｆｌｅｘｉｂｌｅ）有機発光表示装置が製造されている。
【０００５】
フレキシブル有機発光表示装置は、半分に折り曲げたり、巻いたりすることができ、フレキシブル有機発光表示装置の角の一部を折り曲げることができる。
【０００６】
上述したようなフレキシブル有機発光表示装置が曲げられたか否かを把握することによって、フレキシブル有機発光表示装置では、様々なインターフェースが具現され得る。
【０００７】
そのために、フレキシブル有機発光表示装置の非表示領域には、フレキシブル有機発光表示装置の曲げの程度を把握するために、ベンディングセンサが装着されてもよい。
【０００８】
図１は、ベンディングセンサが装着されている従来のフレキシブル有機発光表示装置を示した例示図である。
【０００９】
従来のフレキシブル有機発光表示装置１０は、図１に示したように、映像が表示される表示領域１、及び前記表示領域１の外郭に配置され、映像が出力されない非表示領域２を含む。
【００１０】
フレキシブル有機発光表示装置１０が曲げられたか否かを把握するためのベンディングセンサ３は、前記非表示領域２に配置される。
【００１１】
前記ベンディングセンサ３をさらに備えなければならないため、従来のフレキシブル有機発光表示装置のコストが増加し、また、製造工程が複雑になることがある。
【００１２】
特に、フレキシブル有機発光表示装置１０の全面積の変形を正確にセンシングするためには、多数のベンディングセンサ３を備えなければならない。
【００１３】
また、多数のベンディングセンサ３が前記非表示領域２に備えられなければならないため、非表示領域の幅が小さい狭ベゼルの表示装置を製造しにくい。
【００１４】
また、前記表示領域１の曲げを感知するためには、前記表示領域１にも別途のベンディングセンサ３をさらに備えなければならない。
【先行技術文献】
【特許文献】
【００１５】
【特許文献１】韓国公開特許第１０−２０１３−００６６４４９号公報
【非特許文献】
【００１６】
【非特許文献１】「Electrical characteristics and mechanical limitation of polycrystalline silicon thin film transistor on steel foil under strain」, International Semiconductor Device Research Symposium 2009, December 9-11, College Park, MD, USA.
【発明の概要】
【発明が解決しようとする課題】
【００１７】
上述した問題点を解決するための本発明の目的は、有機発光ダイオードを駆動する駆動トランジスタの特性変化を感知する機能が備えられたピクセル駆動回路を用いて、パネルが曲げられたか否かを把握する、フレキシブル有機発光表示装置を提供することである。
【課題を解決するための手段】
【００１８】
本発明に係るフレキシブル有機発光表示装置は、パネル、前記パネルに備えられたデータラインを駆動するデータドライバ、前記パネルに備えられたゲートラインを駆動するゲートドライバ、センシング部、及び制御部を含む。前記センシング部は、前記パネルの各ピクセルに備えられた有機発光ダイオードを駆動する駆動トランジスタの特性変化を感知するために、前記ピクセルに備えられたピクセル駆動回路を用いて、１フレーム期間を構成するディスプレイ期間及びブランク期間のうち前記ブランク期間に、前記パネルの曲げの有無をセンシングする。前記制御部は、前記センシング部から伝送されたセンシングデータを用いて前記駆動トランジスタの特性変化を感知するか、または前記センシングデータを用いて前記パネルの曲げの有無を分析する。
【００１９】
本発明に係る他のフレキシブル有機発光表示装置は、複数のデータライン、複数のゲートライン、ピクセル駆動回路とセンシングパルスラインとセンシングラインを含む複数のピクセル、及びベンディング領域を含む、パネル；前記ベンディング領域にそれぞれ備えられる、前記複数のゲートライン及び前記センシングパルスラインにゲートパルス及びセンシングパルスを供給するゲートドライバ；前記ベンディング領域に備えられた複数のデータラインにセンシングデータ電圧を供給するデータドライバ；前記複数のゲートラインのいずれか１つのゲートラインに接続されたピクセル駆動回路に備えられる駆動トランジスタ；及びセンシング部によって駆動され、前記ベンディング領域と関連するセンシングラインにある感知信号を獲得する前記ピクセル駆動回路から受信された前記感知信号を分析して、前記駆動トランジスタの幅又は長さの変化率を判断し、前記ベンディング領域の曲げの有無又は前記ベンディング領域の曲げの程度を判断する制御部を含む。
【発明の効果】
【００２０】
本発明によれば、別途のベンディングセンサを備えなくても、パネルが曲げられたか否かを正確に把握することができる。したがって、フレキシブル有機発光表示装置の製造コストを低減することができ、製造工程を簡便にすることができる。
【００２１】
また、本発明によれば、フレキシブル有機発光表示装置の変形の程度をリアルタイムで感知できるので、曲げと関連する様々なアプリケーションが簡単に実行され得る。
【図面の簡単な説明】
【００２２】
【図１】ベンディングセンサが装着されている従来のフレキシブル有機発光表示装置を示した例示図である。
【図２】本発明に係るフレキシブル有機発光表示装置の構成を概略的に示した例示図である。
【図３】本発明に係るフレキシブル有機発光表示装置に適用されるパネルに形成されているピクセルの構造を示した例示図である。
【図４】本発明に係るフレキシブル有機発光表示装置に適用される制御部の構成を示した例示図である。
【図５】本発明に係る有機発光表示装置に適用されるドライバの構成を示した例示図である。
【図６】本発明に係る有機発光表示装置に適用されるゲートドライバの構成を示した例示図である。
【図７】本発明に係るフレキシブル有機発光表示装置に適用される駆動トランジスタの構成を示した例示図である。
【図８】本発明に係るフレキシブル有機発光表示装置に適用されるパネルの平面を概略的に示した例示図である。
【図９】本発明に係るフレキシブル有機発光表示装置に適用されるパネルの平面を概略的に示した第１の例示図である。
【図１０】本発明に係るフレキシブル有機発光表示装置に適用されるパネルの平面を概略的に示した第２の例示図である。
【図１１】本発明に係るフレキシブル有機発光表示装置に適用されるパネルの平面を概略的に示した第３の例示図である。
【図１２】本発明に係るフレキシブル有機発光表示装置に適用されるパネルの平面を概略的に示した第４の例示図である。
【図１３】本発明に係るフレキシブル有機発光表示装置の駆動に適用される信号の波形を示した例示図である。
【図１４】本発明に係るフレキシブル有機発光表示装置の駆動に適用される信号の波形を示した他の例示図である。
【発明を実施するための形態】
【００２３】
本発明の利点及び特徴、そして、それらを達成する方法は、添付の図面と共に詳細に後述されている実施例を参照すると明らかになる。しかし、本発明は、以下に開示される実施例に限定されるものではなく、互いに異なる様々な形態で実現され、単に本実施例は、本発明の開示が完全になるようにし、本発明の属する技術分野における通常の知識を有する者に発明の範疇を完全に知らせるために提供されるものであり、本発明は、請求項の範疇によって定義されるだけである。
【００２４】
本明細書において、各図面の構成要素に参照番号を付加するにおいて、同一の構成要素に限っては、たとえ他の図面上に表示されても、可能な限り同一の番号を有するようにしていることに留意しなければならない。
【００２５】
本発明の実施例を説明するための図面に開示された形状、大きさ、比率、角度、個数などは例示的なものであるため、本発明が図示の事項に限定されるものではない。明細書全体にわたって同一の参照符号は同一の構成要素を指す。また、本発明を説明するにおいて、関連する公知技術に対する具体的な説明が本発明の要旨を不明瞭にする可能性があると判断される場合には、その詳細な説明を省略する。本明細書上で言及した「含む」、「有する」、「からなる」などが使用される場合、「〜のみ」が使用されない限り、他の部分が追加されてもよい。構成要素を単数で表現した場合に、特に明示的な記載事項がない限り、複数を含む場合を含む。
【００２６】
構成要素を解釈するにおいて、別途の明示的な記載がなくても、誤差範囲を含むものと解釈する。
【００２７】
位置関係に対する説明の場合、例えば、「〜上に」、「〜上部に」、「〜下部に」、「〜側に」などで二つの部分の位置関係が説明される場合、「すぐ」又は「直接」が使用されない限り、二つの部分の間に１つ以上の他の部分が位置することもできる。
【００２８】
時間関係に対する説明の場合、例えば、「〜後に」、「〜に次いで」、「〜次に」、「〜前に」などで時間的前後関係が説明される場合、「すぐ」又は「直接」が使用されない限り、連続的ではない場合も含むことができる。
【００２９】
「少なくとも１つ」の用語は、１つ以上の関連項目から提示可能な全ての組み合わせを含むものと理解しなければならない。例えば、「第１項目、第２項目、及び第３項目のうち少なくとも１つ」の意味は、第１項目、第２項目、または第３項目のそれぞれだけでなく、第１項目、第２項目、及び第３項目のうち２つ以上から提示できる全ての項目の組み合わせを意味する。
【００３０】
第２などが様々な構成要素を述べるために使用されるが、これらの構成要素は、これらの用語によって制限されない。これらの用語は、単に一つの構成要素を他の構成要素と区別するために使用するものである。したがって、以下で言及される第１構成要素は、本発明の技術的思想内で第２構成要素であってもよい。
【００３１】
本発明の様々な実施例のそれぞれの特徴が、部分的又は全体的に互いに結合又は組み合わせ可能であり、技術的に様々な連動及び駆動が可能であり、各実施例が互いに独立して実施されてもよく、関連関係で共に実施されてもよい。
【００３２】
以下、添付の図面を参照して、本発明の実施例について詳細に説明する。
【００３３】
図２は、本発明に係るフレキシブル有機発光表示装置の構成を概略的に示した例示図であり、図３は、本発明に係るフレキシブル有機発光表示装置に適用されるパネルに形成されているピクセルの構造を示した例示図である。
【００３４】
本発明に係る有機発光表示装置は、図２に示したように、パネル１００、前記パネル１００に備えられたデータライン（ＤＬ１  ｔｏ  ＤＬｄ）を駆動するデータドライバ３１０、前記パネル１００に備えられたゲートライン（ＧＬ１  ｔｏ  ＧＬｇ）を駆動するゲートドライバ２００、前記パネル１００の各ピクセル１１０に備えられた有機発光ダイオードを駆動する駆動トランジスタの特性変化を感知するために前記ピクセル１１０に備えられたピクセル駆動回路を用いて、１フレーム期間を構成するディスプレイ期間及びブランク期間のうち、前記ブランク期間に、前記パネル１００が曲げられたか否かをセンシングするセンシング部３２０、及び前記センシング部３２０から伝送されたセンシングデータを用いて前記駆動トランジスタの特性変化を感知するか、または前記センシングデータを用いて前記パネル１００が曲げられたか否かを分析する制御部４００を含む。
【００３５】
前記センシング部３２０は、前記データドライバ３１０と共にドライバ３００に構成されてもよく、前記データドライバ３１０とは独立して構成されてもよい。以下では、前記センシング部３２０が、図２に示したように、前記データドライバ３１０と共に前記ドライバ３００に備えられているフレキシブル有機発光表示装置が、本発明の一例として説明される。
【００３６】
前記パネル１００には、図３に示したように、前記ピクセル１１０、及び前記ピクセル１１０が形成されるピクセル領域を定義し、前記ピクセル１１０に備えられたピクセル駆動回路ＰＤＣに駆動信号を供給する信号ライン（ＧＬ，ＤＬ，ＰＬＡ，ＰＬＢ，ＳＬ，ＳＰＬ）が形成されている。前記ピクセル１１０のそれぞれは、有機発光ダイオードＯＬＥＤ及び前記ピクセル駆動回路ＰＤＣを含む。前記ピクセル駆動回路ＰＤＣは、前記有機発光ダイオードＯＬＥＤに流れる電流を制御する駆動トランジスタＴｄｒを含む。
【００３７】
前記ピクセル駆動回路ＰＤＣは、第１スイッチングトランジスタＴｓｗ１、第２スイッチングトランジスタＴｓｗ２、駆動トランジスタＴｄｒ及びキャパシタＣｓｔを含む。ここで、前記トランジスタＴｓｗ１，Ｔｓｗ２，Ｔｄｒは、薄膜トランジスタ（ＴＦＴ）であり、ａ−Ｓｉ  ＴＦＴ、ｐｏｌｙ−Ｓｉ  ＴＦＴ、Ｏｘｉｄｅ  ＴＦＴ、Ｏｒｇａｎｉｃ  ＴＦＴなどであってもよい。
【００３８】
前記第１スイッチングトランジスタＴｓｗ１は、ゲートパルスＧＰによってスイッチングされ、データラインＤＬに供給されるデータ電圧（Ｖｄａｔａ）を第１ノードｎ１を介して前記駆動トランジスタＴｄｒに供給する。
【００３９】
前記第２スイッチングトランジスタＴｓｗ２は、センシングパルスＳＰによってスイッチングされ、センシングラインＳＬに供給される基準電圧Ｖｒｅｆを、前記駆動トランジスタＴｄｒと接続された第２ノードｎ２に供給する。前記第２スイッチングトランジスタＴｓｗ２は、前記駆動トランジスタＴｄｒの特性、例えば、移動度または閾値電圧をセンシングするために、前記ピクセル駆動回路ＰＤＣに備えられる。前記センシング部３２０は、前記第２スイッチングトランジスタＴｓｗ２を介してセンシングされた感知信号を、デジタル信号であるセンシングデータＳｄａｔａに変換して前記制御部４００に伝送する。前記制御部４００は、前記センシングデータを用いて前記移動度または閾値電圧をセンシングする。前記制御部４００は、前記移動度または閾値電圧を分析して、前記ピクセルに供給されるデータ電圧の大きさを変更させることができる。このような動作を外部補償という。
【００４０】
前記駆動トランジスタＴｄｒは、前記キャパシタＣｓｔの電圧によってターンオンされることによって、第１駆動電源ラインＰＬＡから有機発光ダイオードＯＬＥＤに流れる電流量を制御する。前記第１駆動電源ラインＰＬＡを介して、第１電源ＥＶＤＤが前記駆動トランジスタＴｄｒに供給される。
【００４１】
前記有機発光ダイオードＯＬＥＤは、前記駆動トランジスタＴｄｒから供給されるデータ電流Ｉｄａｔａによって発光して、データ電流Ｉｄａｔａに対応する輝度を有する光を放出する。第２駆動電源ラインＰＬＢを介して、第２電源ＥＶＳＳが前記有機発光ダイオードＯＬＥＤに接続されている。
【００４２】
前記説明では、外部補償を行うためのピクセル１１０の構造が、図３を参照して説明されたが、前記ピクセル１１０は、図３に示された構造以外にも、様々な構造で形成されてもよい。
【００４３】
上述したように、外部補償とは、前記ピクセル１１０に形成されている前記駆動トランジスタＴｄｒの閾値電圧又は移動度の変化量を算出し、前記変化量に応じて、前記単位ピクセルに供給されるデータ電圧の大きさを可変させることを意味する。したがって、前記駆動トランジスタＴｄｒの閾値電圧又は移動度の変化量を算出できるように、前記ピクセル１１０の構造は、様々な形態に変更可能である。
【００４４】
また、外部補償のために、前記ピクセル１１０を用いて前記駆動トランジスタＴｄｒの閾値電圧又は移動度の変化量を算出する方法も、前記ピクセル１１０の構造に応じて様々に変更可能である。
【００４５】
本発明は、外部補償を行う有機発光表示装置において、外部補償のために前記パネル１００に備えられた前記ピクセル駆動回路ＰＤＣを用いて、前記パネル１００が曲げられたか否かを把握するためのものである。したがって、外部補償のためのピクセルの構造及び外部補償を行う方法は、現在、外部補償のために提案されている様々なピクセルの構造及び様々な外部補償方法から選択することができる。例えば、前記外部補償のための前記ピクセルの構造及び外部補償を行う方法は、特許文献１を含め、多数の公開特許に開示されている構造及び方法が適用されてもよく、また、本出願人によって出願された韓国出願番号１０−２０１３−０１５００５７号及び韓国出願番号１０−２０１３−０１４９２１３号などに開示されている発明が適用されてもよい。すなわち、外部補償を行うためのピクセルの具体的な構造及び外部補償の具体的な方法は、本発明の範囲を外れるものである。したがって、外部補償のためのピクセルの一例が、図３を参照して簡単に説明されており、外部補償方法もまた、以下で簡単に説明される。また、本発明によれば、前記外部補償方法において前記ピクセル駆動回路ＰＤＣを用いて行われる動作は、前記パネル１００が曲げられたか否か、または前記パネル１００の曲げの程度を判断するのに用いることができる。
【００４６】
図４は、本発明に係るフレキシブル有機発光表示装置に適用される制御部の構成を示した例示図である。
【００４７】
以下の説明において、１フレーム期間は、映像が表示されるディスプレイ期間、及び映像が表示されないブランク期間を含む。前記センシング部３２０は、前記ブランク期間に、前記パネル１００が曲げられたか否かをセンシングする。
【００４８】
前記制御部４００は、前記パネル１００をセンシングモードまたは表示モードで動作させる。
【００４９】
前記センシングモードは、前記ブランクタイム（ｂｌａｎｋ  ｔｉｍｅ）に実行される。前記センシングモードは、センシングが行われる期間の駆動モードを意味する。前記センシングモードでは、前記駆動トランジスタＴｄｒの特性変化を補正するためのセンシングが行われ、前記パネル駆動部、特に前記制御部４００は、前記センシングによって抽出されたセンシングデータを用いて外部補償値を算出する。前記駆動トランジスタＴｄｒの特性変化は、移動度または閾値電圧での変化を含むことができる。また、前記センシングモードで、前記パネル駆動部、特に前記制御部４００は、前記パネル１００が曲げられたか否か又は曲げの程度を把握する。
【００５０】
敷衍して説明すると、前記センシング部３２０は、前記ブランク期間におけるメインセンシング期間に、第１ゲートラインに接続されたピクセルに備えられた第１ピクセル駆動回路を駆動して、前記第１ピクセル駆動回路に備えられた駆動トランジスタの特性変化の感知のためのセンシングを行う。前記センシング部３２０は、前記ブランク期間における補助センシング期間に、ベンディング領域に備えられた第２ゲートラインに接続されたピクセルに備えられた少なくとも１つの第２ピクセル駆動回路を駆動して、前記ベンディング領域が曲げられたか否かをセンシングする。
【００５１】
前記表示モードは、前記センシングが行われない期間の駆動モードを意味する。前記表示モードでは、前記パネル１００に映像が出力される。前記表示モードでは、前記外部補償値を用いて、入力映像データが外部補償映像データに変換され、前記外部補償映像データに対応する外部補償データ電圧がデータラインを介して前記パネルに供給される。
【００５２】
前記のような機能を行うことができるように、前記制御部４００は、図４に示したように、前記メインセンシング期間に前記センシング部３２０から伝送された前記センシングデータＳｄａｔａを用いて、各ピクセルの特性変化を判断して外部補償値を算出し、前記補助センシング期間に前記センシング部３２０から伝送された前記センシングデータを用いて、前記パネル１００の曲げの有無を判断する算出部４１０、外部システムから前記算出部４１０を介して受信された入力映像データＩＤを、前記外部補償値を用いて前記パネルの構造に応じて整列させるデータ整列部４３０、前記外部システムから伝送されたタイミング同期信号ＴＳＳを用いて前記データドライバ３１０を制御するためのデータ制御信号ＤＣＳ，ＤＣＳ_Ｓと前記ゲートドライバ２００を制御するためのゲート制御信号ＧＣＳ，ＧＣＳ_Ｓを生成する制御信号生成部４２０、及び前記データ整列部４３０から伝送された映像データＤａｔａ、前記データ制御信号ＤＣＳ，ＤＣＳ_Ｓ、前記ゲート制御信号ＧＣＳ，ＧＣＳ_Ｓを、前記データドライバ３１０と前記ゲートドライバ２００に伝送する出力部４４０を含む。
【００５３】
前記算出部４１０で算出された前記曲げの有無と関連するベンディング情報は、前記外部システムに伝送される。前記外部システムは、前記ベンディング情報を用いて様々なアプリケーションを行うことができる。
【００５４】
前記様々なアプリケーションには、前記フレキシブル有機発光表示装置の電源をオフさせる機能、及び前記パネル１００に出力された映像を制御する機能などが含まれてもよい。
【００５５】
前記外部補償と関連する各種情報を格納するために、本発明に係るフレキシブル有機発光表示装置は格納部４５０をさらに含むことができる。前記格納部４５０は、前記制御部４００に含まれてもよく、前記制御部４００とは独立して備えられてもよい。
【００５６】
前記格納部４５０には、前記パネル１００の曲げの有無又は曲げの程度の判断に用いられる各種情報が格納されてもよい。
【００５７】
図５は、本発明に係る有機発光表示装置に適用されるドライバの構成を示した例示図である。
【００５８】
上述したように、前記ドライバ３００は、前記データドライバ３１０及び前記センシング部３２０を含む。
【００５９】
第一に、前記データドライバ３１０は前記データラインＤＬ１〜ＤＬｄに接続される。
【００６０】
前記データドライバ３１０は、前記ディスプレイ期間には、前記外部補償値が反映された前記映像データＤａｔａをデータ電圧に変更した後、前記データラインに出力する。
【００６１】
前記データドライバ３１０は、前記ディスプレイ期間には、前記データ制御信号のうち、特に、一般のデータ制御信号ＤＣＳに応じて、前記データライン（ＤＬ１  ｔｏ  ＤＬｄ）に一つの水平ラインに対応するデータ電圧を同時に出力する。
【００６２】
前記データドライバ３１０は、前記メインセンシング期間には、前記一般のデータ制御信号ＤＣＳに応じて、前記データライン（ＤＬ１  ｔｏ  ＤＬｄ）に移動度または閾値電圧のセンシングに用いられるデータ電圧を出力する。
【００６３】
前記データドライバ３１０は、前記補助センシング期間には、前記データ制御信号のうち、特にセンシング用データ制御信号ＤＣＳ_Ｓに応じて、前記データライン（ＤＬ１  ｔｏ  ＤＬｄ）に曲げの有無の判断に用いられるデータ電圧を出力する。
【００６４】
第二に、前記センシング部３２０は、前記メインセンシング期間及び前記補助センシング期間に、前記ピクセル駆動回路ＰＤＣから受信されたアナログ信号をデジタル信号であるセンシングデータＳｄａｔａに変換し、前記センシングデータを前記制御部４００に伝送する。
【００６５】
前記センシング部３２０は、前記メインセンシング期間には、前記一般のデータ制御信号ＤＣＳによって駆動され、センシングライン（ＳＬ１  ｔｏ  ＳＬｋ）から収集されたセンシングデータを前記制御部４００に伝送する。
【００６６】
前記センシング部３２０は、前記補助センシング期間には、前記センシング用データ制御信号ＤＣＳ_Ｓによって駆動され、前記センシングライン（ＳＬ１  ｔｏ  ＳＬｋ）から収集されたセンシングデータを前記制御部４００に伝送する。
【００６７】
前記一般のデータ制御信号ＤＣＳと前記センシング用データ制御信号ＤＣＳ_Ｓは同一であってもよく、異なってもよい。
【００６８】
図６は、本発明に係る有機発光表示装置に適用されるゲートドライバの構成を示した例示図である。
【００６９】
前記ゲートドライバ２００は、前記ディスプレイ期間には、前記制御部４００から供給されるゲート制御信号ＧＣＳ，ＧＣＳ_Ｓのうち一般のゲート制御信号ＧＣＳに応じてゲートパルスＧＰを順次生成し、前記ゲートライン（ＧＬ１  ｔｏ  ＧＬｇ）に順次供給する。前記ゲートパルスＧＰが前記ゲートラインに出力されない間、前記ゲートラインには、前記ゲートラインに接続された前記第１スイッチングトランジスタＴｓｗ１をターンオフさせるターンオフ信号が出力される。前記ゲートパルス及び前記ターンオフ信号を総称してゲート信号ＧＳと呼ぶ。
【００７０】
前記ゲートドライバ２００は、前記メインセンシング期間には、前記制御部４００から供給される前記一般のゲート制御信号ＧＣＳに応じてゲートパルスＧＰ及びセンシングパルスＳＰを生成し、移動度または閾値電圧がセンシングされるゲートラインに前記ゲートパルスＧＰ及び前記センシングパルスＳＰを供給する。
【００７１】
前記ゲートドライバ２００は、前記補助センシング期間には、前記制御部４００から供給される前記ゲート制御信号ＧＣＳ，ＧＣＳ_Ｓのうちセンシング用ゲート制御信号ＧＣＳ_Ｓに応じて、ゲートパルスＧＰ及びセンシングパルスＳＰを生成し、ベンディング領域に備えられたゲートラインに前記ゲートパルスＧＰ及び前記センシングパルスＳＰを供給する。
【００７２】
前記ゲートドライバ２００は、前記補助センシング期間に、前記ベンディング領域に備えられた２つ以上のゲートラインを順次駆動することができる。この場合、前記センシング部３２０は、順次駆動される２つ以上の前記ゲートラインに接続された前記ピクセル駆動回路を順次駆動し、前記ベンディング領域のベンディング情報をセンシングすることができる。
【００７３】
そのために、前記制御部４００は、前記ディスプレイ期間には、前記一般のゲート制御信号ＧＣＳを生成して前記ゲートドライバ２００に伝送し、前記補助センシング期間には、前記センシング用ゲート制御信号ＧＣＳ_Ｓを生成して前記ゲートドライバ２００に伝送する。この場合、前記ゲートドライバ２００は、前記センシング用ゲート制御信号ＧＣＳ_Ｓを用いて、前記ディスプレイ期間に前記ゲートラインに出力されるゲートパルスの周波数よりも速い周波数を有するゲートパルスを、前記ゲートラインに出力することができる。
【００７４】
前記一般のゲート制御信号ＧＣＳと前記センシング用ゲート制御信号ＧＣＳ_Ｓは同一であってもよく、異なってもよい。前記一般のゲート制御信号ＧＣＳと前記センシング用ゲート制御信号ＧＣＳ_Ｓのそれぞれは、ゲートシフトクロック、ゲートスタート信号、ゲートクロック、ゲート出力イネーブル信号などを含むことができる。
【００７５】
前記ゲートドライバ２００は、各ピクセル１１０の薄膜トランジスタ形成工程と共に前記パネル１００上に直接形成されてもよく、または、集積回路（ＩＣ）の形態で形成されて前記パネルに装着されてもよい。
【００７６】
前記ゲートドライバ２００が前記パネル１００上に直接形成されたタイプは、ゲートインパネル（ＧＩＰ：Ｇａｔｅ  Ｉｎ  Ｐａｎｅｌ）タイプという。前記ＧＩＰタイプのゲートドライバ２００は、複数のステージ（Ｓａｔａｇｅ１  ｔｏ  Ｓｔａｇｅ  ｇ）で構成されてもよい。前記ステージでは前記ゲートパルス（ＧＰ１  ｔｏ  ＧＰｇ）が順次出力される。また、前記ステージでは前記センシングパルス（ＳＰ１  ｔｏ  ＳＰｇ）が出力され得る。
【００７７】
前段のステージから出力されたゲートパルスは、後段のステージを駆動させる機能を行うことができる。この場合、前段のステージと後段のステージとの間には、少なくとも１つの他のステージが備えられてもよい。
【００７８】
図７は、本発明に係るフレキシブル有機発光表示装置に適用される駆動トランジスタの構成を示した例示図である。図７の（ａ）は、前記駆動トランジスタＴｄｒの断面を示し、図７の（ｂ）は、前記駆動トランジスタＴｄｒの平面を示す。
【００７９】
外力や内部要因によりフレキシブル有機発光表示装置が物理的に変形する場合、各ピクセルに備えられた前記駆動トランジスタＴｄｒもまた引張または収縮し得る。
【００８０】
これにより、前記有機発光ダイオードＯＬＥＤに流れるデータ電流Ｉｄａｔａの値が変わるようになる。
【００８１】
前記のような結果は、各種論文（例えば、非特許文献１）を通じて確認することができる。
【００８２】
本発明は、前記駆動トランジスタＴｄｒを通過する前記データ電流Ｉｄａｔａの大きさを分析し、前記駆動トランジスタＴｄｒが備えられたベンディング領域の引張または収縮を判断することができる。
【００８３】
例えば、図７の（ａ）及び（ｂ）に示したように、前記駆動トランジスタＴｄｒがゲートＧ、ソースＳ及びドレインＤを含むとき、前記駆動トランジスタがＸ方向に引っ張られたり、Ｙ方向に収縮したり、またはチルト（Ｔｉｌｔｉｎｇ）されると、前記駆動トランジスタＴｄｒのアクティブ領域（チャネル）Ａの幅Ｗ及び長さＬが変更される。
【００８４】
前記制御部４００は、前記センシング部３２０から伝送された前記センシングデータを分析して、前記幅Ｗまたは長さＬの変化量を判断し、前記判断結果によって、前記駆動トランジスタＴｄｒが位置しているベンディング領域の曲げの有無又は曲げの程度を把握することができる。
【００８５】
より具体的に説明すると、前記駆動トランジスタＴｄｒを介して前記有機発光ダイオードＯＬＥＤに流れるデータ電流Ｉｄａｔａは、次式（１）のように表すことができる。
Ｉｄａｔａ＝（μＣｉ／２）（Ｗ／Ｌ）（ＶＧＳ−ＶＴ）２    （１）
【００８６】
ここで、μは、前記駆動トランジスタＴｄｒの移動度であり、Ｃｉは、前記駆動トランジスタＴｄｒのゲートオキシドキャパシタンスであり、Ｗ及びＬは、前記駆動トランジスタＴｄｒの幅及び長さであり、ＶＧＳは、前記駆動トランジスタのゲートとソースとの差電圧（Ｇａｔｅ−Ｓｏｕｒｃｅ  Ｖｏｌｔａｇｅ）であり、ＶＴは、前記駆動トランジスタＴｄｒの閾値電圧である。
【００８７】
この場合、前記駆動トランジスタＴｄｒが引っ張られると、前記データ電流Ｉｄａｔａが増加し、これによって、図３に示されたセンシングラインＳＬに接続されたキャパシタのキャパシタンスＣｉｎが増加し、したがって、前記センシング部３２０に印加される電圧又は電流が増加する。前記センシング部３２０は、センシングされた前記電圧又は電流をデジタル値である前記センシングデータに変換して前記制御部４００に伝送する。
【００８８】
反対に、前記駆動トランジスタＴｄｒが収縮すると、前記データ電流Ｉｄａｔａが減少し、これによって、図３に示されたセンシングラインＳＬに接続されたキャパシタのキャパシタンスＣｉｎが減少し、したがって、前記センシング部３２０に印加される電圧又は電流が減少する。前記センシング部３２０は、センシングされた前記電圧又は電流をデジタル値である前記センシングデータに変換して前記制御部４００に伝送する。
【００８９】
前記のような過程は、毎フレーム、または予め設定されたフレーム毎に反復的に行われる。
【００９０】
前記制御部４００は、毎フレームまたは予め設定されたフレーム毎に受信される前記センシングデータを分析し、前記電圧又は電流の減少または増加を判断することができ、これによって、前記駆動トランジスタＴｄｒが位置した領域が引っ張られたか、収縮したか、またはチルトされたかを判断することができる。
【００９１】
したがって、前記制御部４００は、前記駆動トランジスタＴｄｒが位置しているベンディング領域の曲げの有無又は曲げの程度を把握することができる。
【００９２】
図８乃至図１２は、本発明に係るフレキシブル有機発光表示装置に適用されるパネルの平面を概略的に示した例示図である。
【００９３】
特に、図８乃至図１２において、ベンディング領域１０１は、曲げの有無が判断される領域を意味する。また、図１２において、図面符号１０２は、曲げの有無に対するセンシングが行われるデータラインを意味する。
【００９４】
第一に、図８では、前記ベンディング領域１０１が、前記パネル１００の中間部分に位置している。この場合、前記制御部４００は、前記センシングデータを用いて、前記パネル１００が前記パネル１００の横ライン、例えば、水平ラインの方向に曲げられたか否かを判断することができる。
【００９５】
前記ベンディング領域１０１には、少なくとも１つのゲートラインＧＬ及び少なくとも１つのデータラインＤＬが含まれてもよい。例えば、図８に示されたベンディング領域１０１には、４個のゲートライン及び１８個のデータラインが含まれる。
【００９６】
前記ゲートドライバ２００は、前記補助センシング期間に、前記センシング用ゲート制御信号ＧＣＳ_Ｓに応じて、前記ベンディング領域１０１に含まれた４個のゲートラインＧＬ及びセンシングパルスラインＳＰＬに順次に、ゲートパルスＧＰ及びセンシングパルスＳＰを供給することができる。この場合、前記ドライバ３００は、前記ベンディング領域１０１に含まれた１８個のデータラインにセンシング用データ電圧を供給し、１８個のセンシングラインＳＬを介して感知信号を受信することができる。
【００９７】
第二に、図９では、前記ベンディング領域１０１が、前記パネル１００の４つの角部にそれぞれ位置している。この場合、前記制御部４００は、前記パネル１００の４つの角部のそれぞれが曲げられたか否かを判断し、また、前記パネル１００の立体的な形状を判断することができる。図９に示されたベンディング領域１０１のそれぞれには、４個のゲートライン及び４個のデータラインが含まれる。
【００９８】
前記補助センシング期間に、前記ゲートドライバ２００は、前記パネル１００の上端部に備えられた４個のゲートラインＧＬ及びセンシングパルスラインＳＰＬに順次に、ゲートパルスＧＰ及びセンシングパルスＳＰを供給することができる。この場合、前記ドライバ３００は、前記上端部に備えられた前記ベンディング領域１０１に備えられたデータラインにセンシング用データ電圧を供給し、前記ベンディング領域１０１に備えられたセンシングラインＳＬを介して感知信号を受信することができる。
【００９９】
前記補助センシング期間に、前記上端部に備えられた前記ベンディング領域１０１に対するセンシングが行われた後、前記ゲートドライバ２００は、前記パネル１００の下端部に備えられた４個のゲートラインＧＬ及びセンシングパルスラインＳＰＬに順次に、ゲートパルスＧＰ及びセンシングパルスＳＰを供給することができる。この場合、前記ドライバ３００は、前記下端部に備えられた前記ベンディング領域１０１に備えられたデータラインにセンシング用データ電圧を供給し、前記ベンディング領域１０１に備えられたセンシングラインＳＬを介して感知信号を受信することができる。
【０１００】
第三に、図１０では、前記ベンディング領域１０１が前記パネル１００の上端部の中間、下端部の中間、左側部の中間及び右側部の中間にそれぞれ位置している。この場合、前記制御部４００は、前記パネル１００が前記パネル１００の横ライン、例えば、水平ラインの方向に曲げられたか否かを判断することができ、前記パネル１００が前記パネル１００の縦ライン、例えば、垂直ラインの方向に曲げられたか否かを判断することができ、前記パネル１００の立体的な形状を判断することができる。図１０に示されたベンディング領域１０１のそれぞれには、４個のゲートライン及び４個のデータラインが含まれる。
【０１０１】
前記ゲートドライバ２００は、図９を参照して説明したように、前記パネル１００の上端部、中間及び下端部に備えられたゲートラインＧＬ及びセンシングパルスラインＳＰＬに順次にゲートパルスＧＰ及びセンシングパルスＳＰを供給する。この場合、前記ドライバ３００は、前記ベンディング領域１０１に含まれたゲートラインにゲートパルス又はセンシングパルスが供給されるとき、前記ベンディング領域１０１に含まれたセンシングラインＳＬを介して感知信号を受信することができる。
【０１０２】
第四に、図１１では、前記ベンディング領域１０１が前記パネル１００の上端部の中間、下端部の中間、左側部の中間、右側部の中間、及び４つの角部にそれぞれ位置している。この場合、前記制御部４００は、前記パネル１００が前記パネル１００の横ライン、例えば、水平ラインの方向に曲げられたか否かを判断することができ、前記パネル１００が前記パネル１００の縦ライン、例えば、垂直ラインの方向に曲げられたか否かを判断することができ、前記パネル１００の立体的な形状を判断することができ、前記パネル１００の４つの角部のそれぞれが曲げられたか否かを判断することができる。図１１に示されたベンディング領域１０１のそれぞれには、４個のゲートライン及び４個のデータラインが含まれる。
【０１０３】
前記ゲートドライバ２００は、図９及び図１０を参照して説明したように、前記パネル１００の上端部、中間及び下端部に備えられたゲートラインＧＬ及びセンシングパルスラインＳＰＬに順次にゲートパルスＧＰ及びセンシングパルスＳＰを供給する。この場合、前記ドライバ３００は、前記ベンディング領域１０１に含まれたゲートラインにゲートパルス又はセンシングパルスが供給されるとき、前記ベンディング領域１０１に含まれたセンシングラインＳＬを介して感知信号を受信することができる。
【０１０４】
第五に、図１２に示されたパネル１００には、図８に示されたパネルと同様に、前記ベンディング領域１０１が前記パネル１００の中間部分に位置している。この場合、図８に示されたパネルでは、前記ベンディング領域１０１に含まれた全てのデータラインＤＬ及びセンシングラインＳＬが駆動されたが、図１２に示されたパネルでは、前記ベンディング領域１０１に含まれた全てのデータライン及びセンシングラインのうち一部のデータライン及びセンシングラインが駆動される。
【０１０５】
敷衍して説明すると、前記ベンディング領域１０１に含まれた全てのデータライン及びセンシングラインが駆動されてセンシングデータが生成される場合、センシングのための期間が増加し、センシングデータを格納する格納部４５０の容量が増加しなければならない。これを防止するために、本発明では、図１２に示したように、前記ベンディング領域１０１に含まれた一部のデータライン及びセンシングラインのみを駆動することができる。図１２に示したような方法でセンシングが行われると、図８に示したような方法でセンシングが行われるときよりも、演算量を減少させることができ、センシングタイムを短縮することができ、さらに広いベンディング領域に対する感知を行うことができる。
【０１０６】
この場合、前記補助センシング期間に前記ドライバ３００によって駆動される前記データライン及びセンシングラインは、毎補助センシング期間ごとに一定の間隔を置いて配置されるように設定されてもよい。
【０１０７】
他の例として、前記補助センシング期間に前記ドライバ３００によって駆動される前記データライン及びセンシングラインは、前記補助センシング期間ごとにランダムに変更されてもよい。この場合、ベンディング領域でのセンシングデータがランダムに選択されたセンシングラインを介して収集されるので、特定のピクセルが劣化するか、または特定のピクセルで不良が発生しても、安定に曲げの有無又は曲げの程度を判断することができる。
【０１０８】
また、前記ベンディング領域１０１に備えられた全てのゲートラインのうち一部のゲートラインのみが駆動されてもよい。
【０１０９】
上述したような過程を通じて前記制御部４００で生成された、前記ベンディング領域１０１に対する曲げの有無又は曲げの程度と関連する情報は、前記外部システムに伝送され、前記外部システムは、前記曲げの有無又は曲げの程度を用いて様々なアプリケーションを行うことができる。
【０１１０】
前記説明を簡単に整理すると、次の通りである。
【０１１１】
前記制御部４００、特に前記算出部４１０は、現在のフレームＫで前記ベンディング領域１０１内の全ピクセルから伝送された前記センシングデータの合算又は平均を算出するか、または全ピクセルをいくつかのベンディング領域１０１に分けた後、前記ベンディング領域から伝送されたセンシングデータの合算又は平均を算出するか、またはサンプリングして選択された一部のピクセルから伝送されたセンシングデータの合算又は平均を算出した後、算出された値を、以前のフレームＫ−１で算出された値と比較して、変化があるか否か又はどれくらいの変化があるかを判断する。前記算出部４１０は、前記判断結果によって、前記ベンディング領域での曲げの有無又は曲げの程度を判断することができる。
【０１１２】
また、以前のフレームデータのみを持って演算する場合、小さな変化にも前記制御部４００が誤動作することがある。したがって、前記制御部４００は、フレームデータのＦＩＲ、ＩＩＲ  Ｆｉｌｔｅｒを用いて、安定した出力値を得ることができる。
【０１１３】
図１３は、本発明に係るフレキシブル有機発光表示装置の駆動に適用される信号の波形を示した例示図であり、図１４は、本発明に係るフレキシブル有機発光表示装置の駆動に適用される信号の波形を示した他の例示図である。
【０１１４】
上述したように、１フレーム期間は、映像が表示されるディスプレイ期間ＤＰ及びブランク期間ＢＰを含む。前記ディスプレイ期間ＤＰ及び前記ブランク期間ＢＰは、前記制御部４００で生成される垂直同期信号ＶＳＹＮＣによって区分される。
【０１１５】
本発明は、ブランク期間（垂直ブランク期間）を時分割して、駆動トランジスタの特性補償のためのセンシング、及び曲げの有無の把握のためのセンシングを行う。
【０１１６】
例えば、本発明は、第１イネーブル信号ＥＮ１がオン（Ｏｎ）されるメインセンシング期間ＭＳＰに駆動トランジスタの特性補償のためのセンシングを行う。
【０１１７】
本発明は、第２イネーブル信号ＥＮ２がオンされる補助センシング期間ＢＳＰに、図２乃至図１２を参照して説明したような方法を用いて、曲げの有無の把握のためのセンシングを行う。本発明は、センシングを通じて収集されたセンシングデータを前記格納部４５０に格納する。本発明は、格納された値をカラム（Ｃｏｌｕｍｎ）単位で演算し、以前のフレームの値と現在のフレームの値を比較し、前記駆動トランジスタＴｄｒの引張又は収縮の有無、又は、引張又は収縮の程度を把握する。
【０１１８】
そのために、本発明に係るフレキシブル有機発光表示装置は、上述したように、前記パネル１００、前記データドライバ３１０、前記ゲートドライバ２００、前記センシング部３２０及び前記制御部４００を含む。
【０１１９】
前記センシング部３２０は、前記パネル１００の各ピクセルに備えられた有機発光ダイオードを駆動する前記駆動トランジスタＴｄｒの特性変化を感知するために、前記ピクセルに備えられたピクセル駆動回路ＰＤＣを用いて、１フレーム期間を構成するディスプレイ期間ＤＰ及びブランク期間ＢＰのうち前記ブランク期間ＢＰに、前記パネルが曲げられたか否かをセンシングする。
【０１２０】
前記制御部４００は、前記センシング部３２０から伝送されたセンシングデータを用いて前記駆動トランジスタＴｄｒの特性変化を感知するか、または前記センシングデータを用いて前記パネル１００の曲げの有無を分析する。
【０１２１】
この場合、前記曲げの有無の分析に用いられる前記センシングデータＳｄａｔａは、前記ピクセル駆動回路ＰＤＣに備えられた駆動トランジスタＴｄｒの引張または収縮の程度に応じて変更され、本発明は、前記特性を用いて、前記パネルが曲げられたか否か又は曲げの程度を把握することができる。
【０１２２】
そのために、前記センシング部３２０は、前記ブランク期間ＢＰにおけるメインセンシング期間（ＭＳＰ）に、第１ゲートラインに接続されたピクセルに備えられた第１ピクセル駆動回路を駆動して、前記第１ピクセル駆動回路に備えられた駆動トランジスタの特性変化の感知のためのセンシングを行う。ここで、前記第１ゲートラインは、前記パネル１００に備えられたゲートラインのうち、前記特性変化の感知のためのセンシングが行われるゲートラインを意味する。前記第１ピクセル駆動回路は、前記パネル１００に備えられたピクセル駆動回路のうち、前記第１ゲートラインに接続されて前記特性変化の感知のためのセンシングが行われるピクセル駆動回路を意味する。
【０１２３】
前記メインセンシング期間ＭＳＰには、一つの前記第１ゲートラインが選択され、前記第１ゲートラインに接続されているピクセルに備えられた駆動トランジスタの特性変化がセンシングされる。
【０１２４】
まず、図１４に示したように、前記メインセンシング期間ＭＳＰにおける第１期間Ｔ１に、ゲートパルスＧＰはローであり、センシングパルスＳＰはハイであり、図３に示された前記センシング部３２０に備えられた第２スイッチ３２３を制御する第２スイッチング信号ＳＰＲＥはハイであり、図３に示された前記センシング部３２０に備えられた第１スイッチ３２２を制御する第１スイッチング信号ＳＡＭはローであり、前記データラインにはブラックデータＢＬＫが供給される。ここで、前記第１スイッチ３２２は、アナログデジタルコンバータ３２１と前記センシングラインＳＬをスイッチングし、前記第２スイッチ３２３は、前記センシングラインＳＬに供給される基準電圧Ｖｒｅｆをスイッチングする。前記アナログデジタルコンバータ３２１でデジタル値に変換されたセンシングデータＳｄａｔａは前記制御部に伝送される。前記第１期間Ｔ１に、図３に示されたセンシングラインＳＬに接続されたキャパシタに印加される電圧Ｖｉｎは前記基準電圧Ｖｒｅｆである。
【０１２５】
次に、前記メインセンシング期間ＭＳＰにおける第２期間Ｔ２に、ゲートパルスＧＰはハイであり、センシングパルスＳＰはハイであり、前記第２スイッチング信号ＳＰＲＥはハイであり、前記第１スイッチング信号ＳＡＭはローであり、前記データラインにはセンシングのための特定のデータ電圧が供給される。前記第２期間Ｔ２に、図３に示されたセンシングラインＳＬに接続されたキャパシタＣｉｎに印加される電圧Ｖｉｎは前記基準電圧Ｖｒｅｆである。
【０１２６】
次に、前記メインセンシング期間ＭＳＰにおける第３期間Ｔ３に、ゲートパルスＧＰはローであり、センシングパルスＳＰはハイであり、前記第２スイッチング信号ＳＰＲＥはローであり、前記第１スイッチング信号ＳＡＭはローであり、前記データラインにはセンシングのための特定のデータ電圧が供給される。前記第３期間Ｔ３に、図３に示されたセンシングラインＳＬに接続されたキャパシタＣｉｎに印加される電圧Ｖｉｎは漸増する。
【０１２７】
次に、前記メインセンシング期間ＭＳＰにおける第４期間Ｔ４に、ゲートパルスＧＰはローであり、センシングパルスＳＰはハイであり、前記第２スイッチング信号ＳＰＲＥはローであり、前記第１スイッチング信号ＳＡＭはハイであり、前記データラインにはセンシングのための特定のデータ電圧が供給される。前記第４期間Ｔ４に、図３に示されたセンシングラインＳＬに接続されたキャパシタＣｉｎに印加される電圧Ｖｉｎは、前記駆動トランジスタＴｄｒの特性に応じて特定の値を有する。
【０１２８】
最後に、前記メインセンシング期間ＭＳＰにおける第５期間Ｔ５に、ゲートパルスＧＰはローであり、センシングパルスＳＰはローであり、前記第２スイッチング信号ＳＰＲＥはローであり、前記第１スイッチング信号ＳＡＭはローである。前記第５期間Ｔ５に、図３に示されたセンシングラインＳＬに接続されたキャパシタＣｉｎに印加される電圧Ｖｉｎは、前記駆動トランジスタＴｄｒの特性に応じて特定の値を有する。
【０１２９】
前記制御部は、前記特定の値が反映された前記センシングデータを分析して、前記駆動トランジスタＴｄｒの特性変化を感知する。前記駆動トランジスタＴｄｒの特性変化は、移動度での変化又は閾値電圧での変化を含むことができる。
【０１３０】
例えば、図３で前記データ電流Ｉｄａｔａは、上式（１）で表すことができ、前記センシングラインＳＬに接続されたキャパシタに印加される電圧Ｖｉｎは、Ｖｉｎ＝ＩｄａｔａｘＴ３／Ｃｉｎで表すことができる。
【０１３１】
この場合、前記ピクセル駆動回路ＰＤＣによって前記センシングラインＳＬに印加される前記電圧Ｖｉｎには、移動度（ｕ）及び閾値電圧（Ｖｔｈ）による変動が含まれる。すなわち、前記駆動トランジスタＴｄｒの移動度（ｕ）又は閾値電圧（Ｖｔｈ）が変更されると、前記データ電流Ｉｄａｔａ又は前記センシングラインＳＬに印加される電圧Ｖｉｎが変更される。前記制御部は、前記データ電流Ｉｄａｔａ又は前記電圧Ｖｉｎの変化量を測定し、前記駆動トランジスタの移動度（ｕ）又は閾値電圧（Ｖｔｈ）の変化量を判断することができる。
【０１３２】
前記センシング部３２０は、前記ブランク期間ＢＰにおける補助センシング期間ＢＳＰに、前記ベンディング領域１０１に備えられた第２ゲートラインに接続されたピクセルに備えられた少なくとも１つの第２ピクセル駆動回路を駆動して、前記ベンディング領域の曲げの有無をセンシングする。ここで、前記第２ゲートラインは、前記パネル１００に備えられたゲートラインのうち、前記ベンディング領域１０１に備えられて前記曲げの有無の感知のためのセンシングが行われるゲートラインを意味する。前記第２ピクセル駆動回路は、前記パネル１００に備えられたピクセル駆動回路のうち、前記第２ゲートラインに接続されて前記曲げの有無の感知のためのセンシングが行われるピクセル駆動回路を意味する。
【０１３３】
前記補助センシング期間ＢＳＰを構成する期間Ｔ１〜Ｔ５での駆動方法は、前記メインセンシング期間ＭＳＰを構成する期間Ｔ１〜Ｔ５での駆動方法と同一である。
【０１３４】
したがって、前記制御部４００は、前記データ電流Ｉｄａｔａ又は前記電圧Ｖｉｎの変化量を測定して、前記ベンディング領域１０１での曲げの有無又は曲げの程度を把握することができる。
【０１３５】
この場合、図１３は、前記補助センシング期間ＢＳＰに一つのゲートラインに接続されたピクセルに対するセンシングデータが得られる場合の波形図を示し、図１４は、前記補助センシング期間ＢＳＰにｕ個のゲートラインに接続されたピクセルに対するセンシングデータが得られる場合の波形図を示す。
【０１３６】
前記ベンディング領域１０１に備えられたゲートラインが少ない場合、例えば、前記ベンディング領域１０１に２つのゲートラインが備えられた場合、本発明は、前記補助センシング期間ＢＳＰ毎に一つのゲートラインに接続されたピクセルからセンシングデータを収集する。２つのゲートラインに対するセンシングデータを収集しなければならないため、前記ベンディング領域１０１に対する１次センシング過程が行われるためには、２つのフレーム期間が経過しなければならない。その後、２つのフレーム期間の間、前記２つのゲートラインに対するセンシングデータが再び収集されることで、前記ベンディング領域１０１に対する２次センシング過程が行われる。前記制御部４００は、前記１次センシング過程で収集されたセンシングデータと、前記２次センシング過程で収集されたセンシングデータとを比較し、前記ベンディング領域１０１での曲げの有無又は曲げの程度を把握することができる。
【０１３７】
前記ベンディング領域１０１に備えられたゲートラインが多い場合、前記補助センシング期間ＢＳＰに一つのゲートラインに対するセンシングが行われると、１次センシング過程及び２次センシング過程が行われるためには、数十フレームまたは数百フレームが経過しなければならない。この場合、曲げの有無又は曲げの程度を把握するためのセンシング期間が過度に長くなる。
【０１３８】
これを防止するために、本発明は、図１４に示したように、前記補助センシング期間ＢＳＰを少なくとも２つのサブ補助センシング期間（Ｋ１  ｔｏ  Ｋｕ）に区分することができる。
【０１３９】
それぞれの前記サブ補助センシング期間（Ｋ）では、図１３を参照して説明された前記補助センシング期間ＢＳＰでの駆動方法が同一に行われる。
【０１４０】
敷衍して説明すると、本発明は、一つの前記補助センシング期間ＢＳＰに、前記ベンディング領域１０１に備えられた全てのゲートラインに対して、曲げの有無を判断するためのセンシングを行うことができる。
【０１４１】
そのために、前記ゲートドライバ２００は、前記補助センシング期間ＢＳＰに、前記ベンディング領域１０１に備えられた２つ以上の前記第２ゲートラインを順次駆動することができる。この場合、前記センシング部３２０は、順次駆動される２つ以上の前記第２ゲートラインに接続された前記第２ピクセル駆動回路を順次駆動して、前記ベンディング領域１０１の曲げの有無をセンシングする。
【０１４２】
また、上述したような機能を行うために、前記制御部４００は、前記ディスプレイ期間ＤＰには、前記一般のゲート制御信号ＧＣＳを生成して前記ゲートドライバ２００に伝送し、前記補助センシング期間ＢＳＰには、前記センシング用ゲート制御信号ＧＣＳ_Ｓを生成して前記ゲートドライバ２００に伝送する。前記ゲートドライバ２００は、前記センシング用ゲート制御信号ＧＣＳ_Ｓを用いて、前記ディスプレイ期間ＤＰに前記第２ゲートラインに出力されるゲートパルスの周波数よりも速い周波数を有するゲートパルスを前記第２ゲートラインに出力することができる。
【０１４３】
前記センシング部３２０は、前記補助センシング期間ＢＳＰに、前記第２スイッチング信号ＳＰＲＥに応じて前記第２ピクセル駆動回路に基準電圧を供給し、前記第１スイッチング信号ＳＡＭに応じて、前記第２ピクセル駆動回路から伝送されたアナログ信号をデジタル信号である前記センシングデータに変更して前記制御部４００に伝送する。
【０１４４】
前記のような本発明によれば、前記パネル１００に備えられた駆動トランジスタの特性変化のために備えられた前記ピクセル駆動回路ＰＤＣを用いて、前記パネル１００の曲げの有無又は曲げの程度を把握することができる。
【０１４５】
したがって、本発明によれば、前記パネル１００の曲げの有無又は曲げの程度を把握するためのベンディングセンサを備える必要がない。したがって、フレキシブル有機発光表示装置の製造コストを低減することができ、製造工程を単純化することができる。
【０１４６】
本発明の属する技術分野における当業者は、本発明がその技術的思想や必須の特徴を変更せずに他の具体的な形態で実施できることを理解することができる。したがって、以上で記述した実施例は、すべての面で例示的なものであり、限定的なものではないと理解しなければならない。本発明の範囲は、上記詳細な説明よりは、後述する特許請求の範囲によって示され、特許請求の範囲の意味及び範囲、そしてその等価概念から導かれる全ての変更又は変形された形態が本発明の範囲に属するものと解さねばならない。
【符号の説明】
【０１４７】
１００    パネル
２００    ゲートドライバ
３００    データドライバ
４００    制御部
【図１】
2019045879.tif 000003
【図２】
2019045879.tif 000004
【図３】
2019045879.tif 000005
【図４】
2019045879.tif 000006
【図５】
2019045879.tif 000007
【図６】
2019045879.tif 000008
【図７】
2019045879.tif 000009
【図８】
2019045879.tif 000010
【図９】
2019045879.tif 000011
【図１０】
2019045879.tif 000012
【図１１】
2019045879.tif 000013
【図１２】
2019045879.tif 000014
【図１３】
2019045879.tif 000015
【図１４】
2019045879.tif 000016